(57)【要約】【課題】  近年、透光型遮音壁は、ポリカーボネート樹脂板やメタアクリル樹脂板などのプラスチックス製のものやガラス板を使用して、道路を走行する車窓から展望性のよい視界が広がるような遮音壁が多く採用されている。その中でもメタアクリル樹脂板は耐候性も良く、汚れにくいが、割れやすいのが最大の欠点である。そこで、車両の衝突事故などで破損して、破片が周辺に飛散、落下することを防止する金属製網体の構造を、斜め格子状に構成することで、従来よりもドライバーの視界が広がることになり、遮音壁による閉塞感をなくし、精神的な安定感を取戻し、安全運転に寄与するための理想的な透光型遮音壁を提案する。【解決手段】  メタアクリル樹脂板やガラス板の割れを防止する配合や、複合素材ではなく、裏側に高強度で視界の広がる網を構成することで、大きな投資もなく理想的な透光型遮音壁を提供する。【選択図】図１
0003131624.tif 000002
【実用新案登録請求の範囲】
【請求項１】
複数の支柱間に透光板が取付けられてなる遮音壁の構造において、透光板の車道音源側とは反対側の背面部に、斜め格子状に構成された金属製網体が配置されていることを特徴とする透光型遮音壁。
【請求項２】
請求項１の透光型遮音壁において、金属製網体の二辺および、または、四辺の端部にコの字型の金属製枠材で挟持し、その枠材の少なくとも二辺が金属製網体と共に、折り曲げ加工されてなることを特徴とする網体パネルで構成されている透光型遮音壁。
【考案の詳細な説明】
【技術分野】
【０００１】
本考案は、主として高速道路や一般道の中央分離帯や外側部に沿って、騒音防止のために設置される遮音壁で、特に、車両の衝突事故などにより透光板の合成樹脂やガラスが周辺に飛散、落下して二次災害が発生することを未然に防止する透光型遮音壁の構造に関するものである。
【背景技術】
【０００２】
近年、透光型遮音壁は、ポリカーボネート樹脂板やメタアクリル樹脂板等のプラスチックス製のものやガラス板を使用して、道路を走行する車窓から景色が良く見える遮音壁が多く採用されている。
【０００３】
これらの透光型遮音壁は、車両の衝突事故等で破損して、透光板の破片が飛散、落下することを防止するための方策が、従来から種々提案されている。
【０００４】
特許文献１には、車両の衝突事故などによる火災で透光板が延焼した際に、燃えて溶け落ちた合成樹脂が一般居住区域（民地側）へ飛散、落下して二次災害が発生することを未然に防止する防音壁構造を提供する。とあり。その解決手段として、透光板の音源側とは反対側位置に金属製網体が配置されている。金属製網体の下部は網目を細かく形成され、中間部分または上部は網目を粗く形成されている。とあり、溶接金網の網目を部分で変えたものが提案されている。
【０００５】
しかしながら、このような網では縦横の格子状の特に、横線が車両の走行時において、消えることなく、いつも線となって見えるという欠点がある。あわせて格子を細かくすると視界展望性が阻害される。
【０００６】
特許文献２には、透光板の上下に吸音材を配置しているが、背の比較的低い遮音壁では多少意味があっても、背の高い遮音壁では、視界展望性が悪くなって中途半端なものとなるし、背面側に弾性支持具を介して防護ネットを取付けているが、遮音壁にかかる衝撃強度はまちまちで、弾性支持具が弱いと弾性は良くても強い衝撃に対しては防護にならないし、強くすると弾性支持具の意味が無いのである。また、ネットが視界を遮る工夫について述べられていない。
【０００７】
特許文献３には、金網の周縁部に固着されたフレームと金網の結合を強固にして、金網が脱落することがないようにしたコンクリート等の剥落防止用ネットを提供することにあり、フレームと金属板で金網を挟持し、この挟持部を更に折り返して、折り返し部を形成するとあり、この発明人による考案を本考案の透光型遮音壁に採用した。
【特許文献１】特開２００４−２５０９７５
【特許文献２】実公平０７−１５８５４
【特許文献３】実用新案第３０６８９７３号
【考案の開示】
【考案が解決しようとする課題】
【０００８】
特許文献１、２では、透光板が破損した場合の破片の落下防止には有効であるが、普通の線材を縦、横の格子状に網を構成しただけでは、車両の走行時、ドライバーの視線からは網の横線は消えることなく、視界を遮ることとなってしまうのである。
【０００９】
本考案の目的は、斜め格子状に構成された金属製網体を配置することで、車両の走行時、ドライバーの視線からは網構造の線が見えなくなり、遮音壁による閉塞感が少なく、精神的な安定感を取戻し、安全運転に寄与することを目的とする。
【課題を解決するための手段】
【００１０】
通常、遮音壁は、透けて見えない吸音型遮音壁と透けて見える透光型遮音壁とを共用させて設置されることが多いが、ドライバーおよび乗客の視界となる部分である遮音壁の下１メートルから３メートルのみ透光型遮音壁１を設置することが多い。
【００１１】
透光型遮音壁１の支柱８のスパンは、通常１メートルから４メートルぐらいで構成されるが、最も多く設置されているスパンは、２メートルである。高さは設置される場所によってまちまちであるが、通常１メートルから１０メートルぐらいの高さで設置されている。
【００１２】
請求項１では、複数の支柱間に透光板が取付けられてなる遮音壁の構造において、透光板の車道音源側とは反対側の背面部に、斜め格子状に構成された金属製網体が配置されていることを特徴とする透光型遮音壁。とした。
【００１３】
透光型遮音壁の背面部に、斜め格子状をした金属製網体を組付けてなるパネルを構成するようにしたのである。斜め格子状をした金属製網体は、車両が走行している時、車窓からは斜めの線材は、コマ送りの原理で殆ど見えなくなってしまうのである。
【００１４】
透光型遮音壁１の車道音源側とは反対側に構成する斜め格子状網体５は、ステンレス板やメッキ鋼板製のエキスパンドメタルが材料のロスも少なく、最もコストパフォーマンスに優れたものとなるが、溶接金網で斜め格子状の網体５を構成してもなんら差し支えは無い。エキスパンドメタルを製作するのに使用される板材の厚みは、０．５ミリメートルから３．２ミリメートルぐらいの板材が使用される。厚みの選定については、使用される網体パネル３の大きさ、要求される強度によって決定され、通常は１ミリメートルから２．３ミリメートルぐらいの板材が使用される。網目の大きさは、ストランドを１ミリメートルから３ミリメートルぐらい、短目方向の中心間距離は、１０ミリメートルから５０ミリメートルぐらい、長目方向の中心間距離は、２０ミリメートルから１００ミリメートルぐらいが良い。
【００１５】
請求項２では、請求項１の透光型遮音壁において、金属製網体の二辺および、または、四辺の端部をコの字型の金属製枠材で挟持し、その金属製枠材の少なくとも二辺が金属製網体と共に、折り曲げ加工されてなることを特徴とする網体パネルで構成されている透光型遮音壁。とした。
【００１６】
透光型遮音壁１の透光板２には、メタアクリル樹脂が多く採用されている。このメタアクリル樹脂板の厚みは、５ミリメートルから１５ミリメートルのものが使用されるが、最近では、強度の面から厚み１０ミリメートルから１５ミリメートルの板が多く使用される。この樹脂は、耐候性に優れ、汚れにくいという長所がある反面、衝撃性が弱いという特性を持っている。
【００１７】
このことは、遮音壁として使用した時、車両の衝突時に透光板２が周辺に飛散し、二次災害が起こるのを防止する必要がある。従って、必要最小限の部材で透光板２が飛散するのを防止するよう考案したのである。
【００１８】
そこで、請求項２のように、コの字型に折り曲げた金属製枠体４で斜め格子状網体５の端部を挟持するのであるが、コの字型をした枠体４でより強固な網体パネル３にするために、コの字型枠材４を更にＬ字型に折り曲げ加工して、Ｌ字型曲げ枠材６にするのである。もっと強度を上げるためには、コの字型枠材４をＺ字型に折り曲げ加工して、Ｚ字型曲げ枠材７にすると良い。
【００１９】
斜め格子状網体５を網体パネル３に構成するための枠体は、ステンレス板、メッキ鋼板を使用して、コの字型に折り曲げた枠体４で斜め格子状網体５の端部を挟持するのであるが、このコの字型枠体４の板材の厚みは１ミリメートルから３．２ミリメートルのものが使用される。パネルの高さが１メートルでスパンが２メートルの時は、１．６ミリメートルから２．３ミリメートルぐらいの厚みの板材が使用される。
【００２０】
斜め格子状網体５の構成は、片方が鉛直で、もう一方は斜めに交差した格子状の金属製網体であっても良い。
【００２１】
このようにして製作された金属製網体パネル３は、透光板２と共に、図１のようにＨ形鋼の支柱８に取付けられるが、この時、透光板２と網体パネル３を一体にした透光型遮音壁１にして、Ｈ形鋼の支柱８の溝部に挿入して取付けても良い。更に道路側から取付け、取外しができる構造にするのが良い。
【考案の効果】
【００２２】
上記、解決手段による考案の効果を説明すると、請求項１では、透光型遮音壁１が車両の接触などによって破損した場合のために、車道音源側とは反対側に金属製網体のパネル３を構成するのであるが、この時、斜め格子状に金属製網体５を構成することで、コマ送りの原理で走行時、ドライバーの視線から網体パネル３の斜め格子の線が見えなくなる。特に高速で車両を走行させると、その効果は顕著である。このことが本考案の最大の特徴である。
【００２３】
また、請求項２のように、斜め格子状の金属製網体５をコの字型の金属製枠材４で端部を挟持し、更にその挟持した端部を、Ｌ字型、Ｚ字型などの形に折り曲げて網体の枠を構成すると、強固な網体パネル３となるのである。透光型遮音壁１に車両の接触や衝突などによって、メタアクリル樹脂やガラスなどの透光板２が破損したとき、この高強度の網体パネル３が飛散を防止するのである。
【考案を実施するための最良の形態】
【００２４】
通常、遮音壁は、透けて見えない吸音型遮音壁と透けて見える透光型遮音壁とを共用させて設置されることが多く、ドライバーおよび乗客の視界となる部分である遮音壁の下部のみ透光型遮音壁１を設置することが多い。
【００２５】
透光型遮音壁１の支柱８のスパンは、２メートルで設置されているのが最も多く、高さは設置される場所によってまちまちである。
【００２６】
図２は、透光型遮音壁１を支柱８に取付けたときの部分断面図である。透光板２のメタアクリル樹脂板の厚みは、１０ミリメートルのものが使用されている。
【００２７】
透光型遮音壁１の車道音源側とは反対側に構成する斜め格子状網体５は、ステンレス板製のエキスパンドメタルが材料のロスも少なく、最もコストパフォーマンスに優れたものとなる。エキスパンドメタルを製作するのに使用される板材の厚みは、１．６ミリメートルの板材が使用される。網目の大きさは、ストランドを１．５ミリメートル、短目方向の中心間距離を２５ミリメートル、長目方向の中心間距離を５０ミリメートルとした。
【００２８】
斜め格子状網体５を網体パネル３に構成するための枠体は、メッキ鋼板を使用して、コの字型に折り曲げて加工したコの字型枠体４で、斜め格子状網体５の端部を挟持するのであるが、このコの字型枠体４の板材の厚みは、１．６ミリメートルのものを使用する。
【００２９】
金属製の斜め格子状網体５をコの字型の金属製枠体４で端部を挟持し、更に、その挟持した端部をＺ字型に折り曲げて、確実に斜め格子状網体５を掴み込んで離さない加工を施したのである。
【図面の簡単な説明】
【００３０】
【図１】は、透光型遮音壁のＨ形鋼支柱への取付けの一般図である。
【図２】は、遮音壁の支柱に透光板と網体パネルとの取付け部分の断面図である。
【図３】は、透光板の斜視図である。
【図４】は、Ｌ字型曲げ枠体による網体パネルの斜視図である。
【図５】は、斜め格子状網体をコの字型枠体に挟持した部分斜視図である。
【図６】は、コの字型枠体をＬ字型に折り曲げたＬ字型曲げ枠体の部分斜視図である。
【図７】は、コの字型枠体をＺ字型に折り曲げたＺ字型曲げ枠体の部分斜視図である。
【符号の説明】
【００３１】
１  透光型遮音壁
２  透光板
３  網体パネル
４  コの字型枠体
５  斜め格子状網体
６  Ｌ字型曲げ枠体
７  Ｚ字型曲げ枠体
８  Ｈ形鋼支柱
【図１】
0003131624.tif 000003
【図２】
0003131624.tif 000004
【図３】
0003131624.tif 000005
【図４】
0003131624.tif 000006
【図５】
0003131624.tif 000007
【図６】
0003131624.tif 000008
【図７】
0003131624.tif 000009